(57)【要約】【課題】飲用者の口部に上記容器本体の口部を当て、容器本体を飲用角度分、傾けて飲料を飲用するに際し、内容器体の内周面がその底部及びその上部の内径が同径の真っ直ぐな円筒面に形成されている場合よりも、手及び腕を少し上げて容器本体を小さく傾けるだけで飲用することができ、子供、老人、障害者にとって、飲み易さや飲み心地の面における快適性や利便性を向上することができると共に飲み方の品位や体裁を高めることができる携帯用魔法瓶を提供する。【解決手段】容器本体１及び蓋体２からなり、容器本体は外容器体１ａ及び内容器体１ｂにより断熱二重構造とされ、上記内容器体の内周面Ｎは内底面Ｓに向かうに従って次第に径小となるテーパー面ＮＴに形成されている。【選択図】図１
0003223894.tif 000002
【実用新案登録請求の範囲】
【請求項１】
容器本体及び蓋体からなり、該容器本体は外容器体及び内容器体により断熱二重構造とされ、上記内容器体の内周面は内底面に向かうに従って次第に径小となるテーパー面に形成されていることを特徴とする携帯用魔法瓶。
【請求項２】
上記外容器体は円筒状に形成されていることを特徴とする請求項１記載の携帯用魔法瓶。
【請求項３】
上記容器本体の外底面に緩衝材を配置してなることを特徴とする請求項１又は２記載の携帯用魔法瓶。
【考案の詳細な説明】
【技術分野】
【０００１】
本考案は、例えば、清涼飲料水や麦茶、煎茶などの飲料を直接飲む構造の携帯用魔法瓶に関するものである。
【背景技術】
【０００２】
従来、この種の携帯用魔法瓶として、図４、図５の如く、容器本体１及び蓋体２からなり、容器本体１は外容器体１ａ及び内容器体１ｂにより断熱二重構造とされ、飲料Ｗの保温及び保冷機能を備えた構造のものが知られている。
【先行技術文献】
【特許文献】
【０００３】
【特許文献１】特許第５９２９５１０号公報
【考案の概要】
【考案が解決しようとする課題】
【０００４】
しかしながらこれら従来構造の場合、図４、図５の如く、上記内容器体１ｂの内周面Ｎはその底部及びその上部の内径ｄ・ｄが同径の真っ直ぐな円筒面Ｅに形成されており、このため、飲用者Ｍの口部に上記容器本体１の口部Ｋを当て、容器本体１を飲用角度β分、傾けて飲料Ｗを飲用するに際し、手及び腕を大きく上げて容器本体１を大きく傾ける必要があるなど、子供、老人、障害者によっては、飲み易さや飲み心地の面における快適性や利便性に劣ることがあるという不都合を有している。
【課題を解決するための手段】
【０００５】
本考案はこのような不都合を解決することを目的とし、請求項１記載の考案は、容器本体及び蓋体からなり、該容器本体は外容器体及び内容器体により断熱二重構造とされ、上記内容器体の内周面は内底面に向かうに従って次第に径小となるテーパー面に形成されていることを特徴とする携帯用魔法瓶にある。
【０００６】
又、請求項２記載の考案は、上記外容器体は円筒状に形成されていることを特徴とするものであり、又、請求項３記載の考案は、上記容器本体の外底面に緩衝材を配置してなることを特徴とするものである。
【考案の効果】
【０００７】
本考案は上述の如く、請求項１記載の考案にあっては、容器本体及び蓋体からなり、容器本体は外容器体及び内容器体により断熱二重構造とされ、上記内容器体の内周面は内底面に向かうに従って次第に径小となるテーパー面に形成されているから、飲用者の口部に上記容器本体の口部を当て、容器本体を飲用角度分、傾けて飲料を飲用するに際し、内容器体の内周面がその底部及びその上部の内径が同径の真っ直ぐな円筒面に形成されている場合よりも、手及び腕を少し上げて容器本体を小さく傾けるだけで飲用することができ、子供、老人、障害者にとって、飲み易さや飲み心地の面における快適性や利便性を向上することができると共に飲み方の品位や体裁を高めることができる。
【０００８】
又、請求項２記載の考案にあっては、上記外容器体は円筒状に形成されているから、上記内容器体は外容器体内により隠蔽されることになり、外観上、内容器体の形態は視認することができないので、違和感を与えることなく使用することができ、又、請求項３記載の考案にあっては、上記容器本体の外底面に緩衝材を配置してなるから、容器本体の外底面と設置面との衝接を防ぐことができ、使用の快適性を向上することができる。
【図面の簡単な説明】
【０００９】
【図１】本考案の実施の形態例の全体断面図である。
【図２】本考案の実施の形態例の全体分解断面図である。
【図３】本考案の実施の形態例の使用状態の説明図である。
【図４】従来構造の全体断面図である。
【図５】従来構造の使用状態の説明図である。
【考案を実施するための形態】
【００１０】
図１乃至図３は本考案の実施の形態例を示し、１は容器本体であって、図１の如く、外容器体１ａ及び内容器体１ｂにより断熱二重構造とされ、この場合、外容器体１ａ及び内容器体１ｂはステンレス製とされ、外容器体１ａ及び内容器体１ｂ間の空間の空気は真空吸引により排気され、真空断熱二重構造に構成され、飲料Ｗの保温及び保冷機能を備えた構造としている。
【００１１】
２は蓋体であって、図１、図２の如く、上記容器本体１の口部Ｋと蓋体２とは螺着構造Ｒにより着脱自在に設けられ、この場合、蓋体２はステンレス製の外キャップ２ａ、合成樹脂製の内キャップ２ｂ及び合成樹脂製のパッキン２ｃからなり、上記螺着構造Ｒとして、容器本体１の口部Ｋに雄螺子部ＲＯを形成すると共に内キャップ２ｂの内面に雌螺子部ＲＭを形成し、雄螺子部ＲＯと雌螺子部ＲＭとの締付弛緩回動により上記容器本体１と蓋体２を着脱自在に構成している。
【００１２】
この場合、図１の如く、上記内容器体１ｂの内周面Ｎは内底面Ｓに向かうに従って次第に径小となるテーパー面ＮＴに形成され、この場合、勾配角α＝２．２度、テーパー角θ＝４．４度（２α）に設定されている。
【００１３】
又、この場合、図１の如く、上記外容器体１ａの外周面Ｆはその底部及びその上部の外径が同径の真っ直ぐな円筒状に形成されている。
【００１４】
３は緩衝材であって、例えば、ゴム、弾性を有する合成樹脂により製作され、図１の如く、上記容器本体１の外底面に接着して配置されている。
【００１５】
この実施の形態例は上記構成であるから、図１、図２、図３の如く、容器本体１及び蓋体２からなり、容器本体１は外容器体１ａ及び内容器体１ｂにより断熱二重構造とされ、上記内容器体１ｂの内周面Ｎは内底面Ｓに向かうに従って次第に径小となるテーパー面ＮＴに形成されているから、図３の如く、飲用者Ｍの口部に上記容器本体１の口部Ｋを当て、容器本体１を傾けて飲料Ｗを飲用するに際し、図４に示すような内容器体１ｂの内周面Ｎがその底部及びその上部の内径ｄ・ｄが同径の真っ直ぐな円筒面Ｅに形成されている従来構造の場合よりも、手及び腕を少し上げて容器本体１を小さく傾けるだけで飲用することができ、すなわち、図５の飲用角度βに比して図３の飲用角度βを小さくすることができ、子供、老人、障害者にとって、飲み易さや飲み心地の面における快適性や利便性を向上することができると共に飲み方の品位や体裁を高めることができる。
【００１６】
又、この場合、上記外容器体１ａは円筒状に形成されているから、上記内容器体１ｂは外容器体１ａ内により隠蔽されることになり、外観上、内容器体１ｂの形態は視認することができないので、違和感を与えることなく使用することができ、又、この場合、上記容器本体１の外底面に緩衝材３を配置してなるから、容器本体１の外底面と設置面との衝接を防ぐことができ、使用の快適性を向上することができる。
【００１７】
尚、本考案は上記実施の形態例に限らず、例えば、上記実施の形態例にあっては、容器本体１に蓋体２を螺着構造Ｒにより着脱開閉可能な構造とされているが、容器本体１に蓋体２をヒンジ部により開閉回動可能な構造の魔法瓶や、その他の構造の魔法瓶に適用することができる。又、上記実施の形態例にあっては、上記内容器体１ｂの内周面Ｎは勾配角α＝２．２度、テーパー角θ＝４．４度（２α）に設定されているが、例えば、勾配角α＝１．５度〜３．０度、テーパー角θ＝３．０度〜６．０度（２α）とすることもあり、飲料Ｗの飲み易さや飲み心地の面における快適性が良好となることを考慮して選択決定されるものであり、かつ、この勾配角αは魔法瓶の大きさや容量によっても適宜選択して決定され、又、上記内周面Ｎ、内底面Ｓ、テーパー面ＮＴ、容器本体１、外容器体１ａ、内容器体１ｂ、蓋体２、緩衝材３の構造や大きさは適宜変更して設計されるものである。
【００１８】
以上、所期の目的を充分達成することができる。
【符号の説明】
【００１９】
Ｎ    内周面
Ｓ    内底面
ＮＴ    テーパー面
１    容器本体
１ａ    外容器体
１ｂ    内容器体
２    蓋体
３    緩衝材
【図１】
0003223894.tif 000003
【図２】
0003223894.tif 000004
【図３】
0003223894.tif 000005
【図４】
0003223894.tif 000006
【図５】
0003223894.tif 000007